(57)【要約】【課題】  ＴＶ視聴機能の起動をかけてから携帯端末装置の表示装置にＴＶ画像が表示されるまでの待ち時間を有効に活用する。【解決手段】  ＴＶチューナ１４は、ベースバンドＣＰＵ９の指示に従って初期化を行う。初期化処理では、パワーセーブ状態からの復帰、ＴＶチューナ１４への電源供給の開始、受信可能な周波数帯のスキャン、受信可能な周波数（チャンネル）の登録を行う。これら一連の初期化処理は、１０秒程度の時間を要する。この初期化処理中に、ベースバンドＣＰＵ９から番組情報サーバに番組情報取得要求を発行し、番組情報サーバ２０２から番組表データを取得する。【選択図】  図１
2006101078.tif 000002
【特許請求の範囲】
【請求項１】
通信ネットワークに接続して各種情報を授受する通信手段と、テレビジョン放送を受信する放送受信手段と、前記放送受信手段により受信したテレビジョン放送を表示する表示手段とを備える携帯端末装置であって、
前記放送受信手段を初期化する初期化手段と、
前記初期化手段による初期化処理中に、前記通信手段によって前記通信ネットワーク上の所定のサーバからテレビジョン放送の番組表情報を取得する番組表情報取得手段と、
前記番組表情報取得手段によって取得した番組表情報を前記表示手段に表示する表示制御手段と
を具備することを特徴とする携帯端末装置。
【請求項２】
前記通信手段による前記通信ネットワークへの接続可否をユーザに選択させる選択手段を具備することを特徴とする請求項１記載の携帯端末装置。
【請求項３】
前記取得された番組表情報は、提携企業サーバへのリンク情報を含み、前記通信手段は、前記リンク情報に基づいて、提携企業サーバへ接続して各種情報を授受することを特徴とする請求項１または２記載の携帯端末装置。
【請求項４】
テレビジョン放送を受信する放送受信手段と、前記放送受信手段により受信したテレビジョン放送を表示する表示手段とを備える携帯端末装置であって、
テレビジョン放送の視聴開始を前記放送受信手段に指示する指示手段と、
前記指示手段により放送開始が指示されると、テレビジョン放送の番組表情報を取得する番組表情報取得手段と、
前記番組表情報取得手段によって取得した番組表情報を前記表示手段に表示する表示制御手段と
を具備することを特徴とする携帯端末装置。
【請求項５】
前記番組表情報取得手段は、前記番組表情報をテレビジョン放送局とは異なる通信ネットワークを介して取得することを特徴とする請求項４記載の携帯端末装置。
【請求項６】
前記通信ネットワークへの接続可否をユーザに選択させる選択手段を具備することを特徴とする請求項５記載の携帯端末装置。
【請求項７】
前記取得された番組表情報は、提携企業サーバへのリンク情報を含み、前記リンク情報に基づいて、提携企業サーバへ接続して各種情報を授受する前記通信手段を具備することを特徴とする請求項５または６記載の携帯端末装置。
【請求項８】
前記番組表情報取得手段は、前記番組表情報をテレビジョン放送局とは異なるローカルインターフェースを介して取得することを特徴とする請求項４記載の携帯端末装置。
【請求項９】
前記番組表情報取得手段は、前記番組表情報をテレビジョン放送局から取得することを特徴とする請求項４記載の携帯端末装置。
【請求項１０】
前記番組表情報を一定時間保存する記憶手段を具備することを特徴とする請求項５、８または９のいずれかに記載の携帯端末装置。
【請求項１１】
テレビジョン放送を放送受信手段により受信し、受信したテレビジョン放送を表示手段に表示するテレビジョン放送視聴方法であって、
前記放送受信手段を初期化する初期化処理中に、通信ネットワーク上の所定のサーバからテレビジョン放送の番組表情報を取得し、取得した番組表情報を前記表示手段に表示することを特徴とするテレビジョン放送視聴方法。
【請求項１２】
前記通信ネットワークへの接続可否をユーザに選択させることを特徴とする請求項１１記載のテレビジョン放送視聴方法。
【請求項１３】
前記取得された番組表情報は、提携企業サーバへのリンク情報を含み、前記リンク情報に基づいて、提携企業サーバへ接続して各種情報を授受することを特徴とする請求項１１または１２記載のテレビジョン放送視聴方法。
【請求項１４】
テレビジョン放送を放送受信手段により受信し、受信したテレビジョン放送を表示手段に表示するテレビジョン放送視聴方法であって、
前記放送受信手段によるテレビジョン放送の視聴開始が指示されると、テレビジョン放送の番組表情報を取得し、取得した番組表情報を前記表示手段に表示することを特徴とするテレビジョン放送視聴方法。
【請求項１５】
前記番組表情報をテレビジョン放送局とは異なる通信ネットワークを介して取得することを特徴とする請求項１４記載のテレビジョン放送視聴方法。
【請求項１６】
前記番組表情報をテレビジョン放送局とは異なるローカルインターフェースを介して取得することを特徴とする請求項１４記載のテレビジョン放送視聴方法。
【請求項１７】
前記番組表情報をテレビジョン放送局から取得することを特徴とする請求項１４記載のテレビジョン放送視聴方法。
【請求項１８】
テレビジョン放送を受信し、受信したテレビジョン放送を表示するテレビジョン放送視聴プログラムであって、
テレビジョン放送を受信するための初期化処理を行うステップと、
前記初期化処理中に、通信ネットワーク上の所定のサーバからテレビジョン放送の番組表情報を取得するステップと、
取得した番組表情報を表示するステップと
をコンピュータに実行させることを特徴とするテレビジョン放送視聴プログラム。
【請求項１９】
テレビジョン放送を受信し、受信したテレビジョン放送を表示するテレビジョン放送視聴プログラムであって、
テレビジョン放送の視聴開始を指示するステップと、
前記視聴開始が指示されると、テレビジョン放送の番組表情報を取得するステップと、
取得した番組表情報を表示するステップと
をコンピュータに実行させることを特徴とするテレビジョン放送視聴プログラム。
【発明の詳細な説明】
【技術分野】
【０００１】
本発明は、テレビジョン（以下、ＴＶと略す。）放送を受信し、携帯端末装置、テレビジョン放送視聴方法およびテレビジョン放送視聴プログラムに関する。
【背景技術】
【０００２】
従来、テレビジョン放送を受信し、視聴可能な携帯端末装置の例が提案されていた（例えば、特許文献１参照）。図８は、従来の携帯端末装置でＴＶ視聴を行う場合の操作例を示すタイミングチャートであり、図９は、表示装置における表示画像例を示す模式図である。
【０００３】
初期状態では、図９（ａ）に示すように壁紙が表示されている。図８に示すように、ステップＳ１のキー操作によって、ＣＰＵは、図９（ｂ）のメニュー画面を表示する（ステップＳ２）。ステップＳ３で、ユーザがＴＶ視聴を選択すると、ＣＰＵは、ＴＶチューナの初期化処理開始を指示し（ステップＳ４）、表示装置に図９（ｃ）のようなＴＶ初期化中画面を表示する（ステップＳ５）。
【０００４】
ＴＶチューナは、ステップＳ５のタイミングで初期化処理を開始し、ステップＳ１１のタイミングで初期化処理を終了し、デフォルトチャンネル（ｃｈ）のコンテンツデータをＣＰＵに送信する（ステップＳ１１ａ）。ＣＰＵは、デフォルトチャンネル（ｃｈ）のコンテンツデータから図９（ｄ）のような画像を生成し、表示装置に表示する（ステップＳ１１ｂ）。
【特許文献１】特開２００４−１９３９４４号公報、第４頁、図１
【発明の開示】
【発明が解決しようとする課題】
【０００５】
しかしながら、上記特許文献１記載の従来技術においては、ステップＳ５にてＴＶチューナの初期化が開始されてからステップＳ１１で終了するまでの間、図９（ｃ）のＴＶ初期化中の画面を表示したままとなる。通常のＴＶチューナは、初期化処理に数秒〜１０秒程度の時間を要するため、その間、ユーザが待たされるという問題があった。
【０００６】
これにもかかわらず、上記特許文献１記載の従来技術においては、ユーザがＴＶ放送を視聴するためにＴＶ視聴機能の起動をかけてから携帯端末装置の表示装置にＴＶ画像が表示されるまでの待ち時間を活用するための工夫については何ら記載されていない。
【０００７】
そこで本発明は、上記課題を解決し、ＴＶ視聴機能の起動をかけてから携帯端末装置の表示装置にＴＶ画像が表示されるまでの待ち時間を有効に活用することができる携帯端末装置、テレビジョン放送視聴方法およびテレビジョン放送視聴プログラムを提供することを目的とする。
【課題を解決するための手段】
【０００８】
上記目的達成のため、請求項１記載の発明による携帯端末装置は、通信ネットワークに接続して各種情報を授受する通信手段と、テレビジョン放送を受信する放送受信手段と、前記放送受信手段により受信したテレビジョン放送を表示する表示手段とを備える携帯端末装置であって、前記放送受信手段を初期化する初期化手段と、前記初期化手段による初期化処理中に、前記通信手段によって前記通信ネットワーク上の所定のサーバからテレビジョン放送の番組表情報を取得する番組表情報取得手段と、前記番組表情報取得手段によって取得した番組表情報を前記表示手段に表示する表示制御手段とを具備することを特徴とする。
【０００９】
また、好ましい態様として、例えば請求項２記載のように、請求項１記載の携帯端末装置において、前記通信手段による前記通信ネットワークへの接続可否をユーザに選択させる選択手段を具備するようにしてもよい。
【００１０】
また、好ましい態様として、例えば請求項３記載のように、請求項１または２記載の携帯端末装置において、前記取得された番組表情報は、提携企業サーバへのリンク情報を含み、前記通信手段は、前記リンク情報に基づいて、提携企業サーバへ接続して各種情報を授受するようにしてもよい。
【００１１】
また、上記目的達成のため、請求項４記載の発明による携帯端末装置は、テレビジョン放送を受信する放送受信手段と、前記放送受信手段により受信したテレビジョン放送を表示する表示手段とを備える携帯端末装置であって、テレビジョン放送の視聴開始を前記放送受信手段に指示する指示手段と、前記指示手段により放送開始が指示されると、テレビジョン放送の番組表情報を取得する番組表情報取得手段と、前記番組表情報取得手段によって取得した番組表情報を前記表示手段に表示する表示制御手段とを具備することを特徴とする。
【００１２】
また、好ましい態様として、例えば請求項５記載のように、請求項４記載の携帯端末装置において、前記番組表情報取得手段は、前記番組表情報をテレビジョン放送局とは異なる通信ネットワークを介して取得するようにしてもよい。
【００１３】
また、好ましい態様として、例えば請求項６記載のように、請求項５記載の携帯端末装置において、前記通信ネットワークへの接続可否をユーザに選択させる選択手段を具備するようにしてもよい。
【００１４】
また、好ましい態様として、例えば請求項７記載のように、請求項５または６記載の携帯端末装置において、前記取得された番組表情報は、提携企業サーバへのリンク情報を含み、前記リンク情報に基づいて、提携企業サーバへ接続して各種情報を授受する前記通信手段を具備するようにしてもよい。
【００１５】
また、好ましい態様として、例えば請求項８記載のように、請求項４記載の携帯端末装置において、前記番組表情報取得手段は、前記番組表情報をテレビジョン放送局とは異なるローカルインターフェースを介して取得するようにしてもよい。
【００１６】
また、好ましい態様として、例えば請求項９記載のように、請求項４記載の携帯端末装置において、前記番組表情報取得手段は、前記番組表情報をテレビジョン放送局から取得するようにしてもよい。
【００１７】
また、好ましい態様として、例えば請求項１０記載のように、請求項５、８または９のいずれかに記載の携帯端末装置において、前記番組表情報を一定時間保存する記憶手段を具備するようにしてもよい。
【００１８】
また、上記目的達成のため、請求項１１記載の発明によるテレビジョン放送視聴方法は、テレビジョン放送を放送受信手段により受信し、受信したテレビジョン放送を表示手段に表示するテレビジョン放送視聴方法であって、前記放送受信手段を初期化する初期化処理中に、通信ネットワーク上の所定のサーバからテレビジョン放送の番組表情報を取得し、取得した番組表情報を前記表示手段に表示することを特徴とする。
【００１９】
また、好ましい態様として、例えば請求項１２記載のように、請求項１１記載のテレビジョン放送視聴方法において、前記通信ネットワークへの接続可否をユーザに選択させるようにしてもよい。
【００２０】
また、好ましい態様として、例えば請求項１３記載のように、請求項１１または１２記載のテレビジョン放送視聴方法において、前記取得された番組表情報は、提携企業サーバへのリンク情報を含み、前記リンク情報に基づいて、提携企業サーバへ接続して各種情報を授受するようにしてもよい。
【００２１】
また、上記目的達成のため、請求項１４記載の発明によるテレビジョン放送視聴方法は、テレビジョン放送を放送受信手段により受信し、受信したテレビジョン放送を表示手段に表示するテレビジョン放送視聴方法であって、前記放送受信手段によるテレビジョン放送の視聴開始が指示されると、テレビジョン放送の番組表情報を取得し、取得した番組表情報を前記表示手段に表示することを特徴とする。
【００２２】
また、好ましい態様として、例えば請求項１５記載のように、請求項１４記載のテレビジョン放送視聴方法において、前記番組表情報をテレビジョン放送局とは異なる通信ネットワークを介して取得するようにしてもよい。
【００２３】
また、好ましい態様として、例えば請求項１６記載のように、請求項１４記載のテレビジョン放送視聴方法において、前記番組表情報をテレビジョン放送局とは異なるローカルインターフェースを介して取得するようにしてもよい。
【００２４】
また、好ましい態様として、例えば請求項１７記載のように、請求項１４記載のテレビジョン放送視聴方法において、前記番組表情報をテレビジョン放送局から取得するようにしてもよい。
【００２５】
また、上記目的達成のため、請求項１８記載の発明によるテレビジョン放送視聴プログラムは、テレビジョン放送を受信し、受信したテレビジョン放送を表示するテレビジョン放送視聴プログラムであって、テレビジョン放送を受信するための初期化処理を行うステップと、前記初期化処理中に、通信ネットワーク上の所定のサーバからテレビジョン放送の番組表情報を取得するステップと、取得した番組表情報を表示するステップとをコンピュータに実行させることを特徴とする。
【００２６】
また、上記目的達成のため、請求項１９記載の発明によるテレビジョン放送視聴プログラムは、テレビジョン放送を受信し、受信したテレビジョン放送を表示するテレビジョン放送視聴プログラムであって、テレビジョン放送の視聴開始を指示するステップと、前記視聴開始が指示されると、テレビジョン放送の番組表情報を取得するステップと、取得した番組表情報を表示するステップとをコンピュータに実行させることを特徴とする。
【発明の効果】
【００２７】
請求項１記載の発明によれば、前記初期化手段による前記放送受信手段の初期化処理中に、番組表情報取得手段によって、前記通信手段によって前記通信ネットワーク上の所定のサーバからテレビジョン放送の番組表情報を取得し、表示制御手段によって、取得した番組表情報を前記表示手段に表示するようにしたので、ユーザがＴＶ放送を視聴するためにＴＶ視聴機能の起動をかけてから携帯端末装置の表示装置にＴＶ画像が表示されるまでの待ち時間を利用して現在放送されている番組を知ることができるため、ＴＶチューナの初期化終了後、直ちに視聴希望ｃｈの番組コンテンツを閲覧することができるという利点が得られる。
【００２８】
また、請求項２記載の発明によれば、選択手段によって、前記通信手段による前記通信ネットワークへの接続可否をユーザに選択させるようにしたので、ＴＶ視聴機能の起動をかけてから携帯端末装置の表示装置にＴＶ画像が表示されるまでの待ち時間を有効に活用することができ、さらに、通信ネットワークへの接続料金を考慮して接続するか否かを選択することができるという利点が得られる。
【００２９】
また、請求項３記載の発明によれば、前記通信手段によって、前記取得された番組表情報に含まれる提携企業サーバへのリンク情報に基づいて、提携企業サーバへ接続して各種情報を授受するようにしたので、ＴＶ視聴機能の起動をかけてから携帯端末装置の表示装置にＴＶ画像が表示されるまでの待ち時間を有効に活用することができ、さらに、提携企業のホームページを閲覧した場合に応じて各種サービスを提供することができるという利点が得られる。
【００３０】
また、請求項４記載の発明によれば、指示手段によりテレビジョン放送の放送開始が指示されると、番組表情報取得手段によって、テレビジョン放送の番組表情報を取得し、表示制御手段によって、取得した番組表情報を前記表示手段に表示するようにしたので、ユーザがＴＶ放送を視聴するためにＴＶ視聴機能の起動をかけてから携帯端末装置の表示装置にＴＶ画像が表示されるまでの待ち時間を利用して現在放送されている番組を知ることができるため、ＴＶチューナの初期化終了後、直ちに視聴希望ｃｈの番組コンテンツを閲覧することができるという利点が得られる。
【００３１】
また、請求項５記載によれば、前記番組表情報取得手段によって、前記番組表情報をテレビジョン放送局とは異なる通信ネットワークを介して取得するようにしたので、ＴＶ視聴機能の起動をかけてから携帯端末装置の表示装置にＴＶ画像が表示されるまでの待ち時間を有効に活用することができるという利点が得られる。
【００３２】
また、請求項６記載の発明によれば、選択手段によって、前記通信ネットワークへの接続可否をユーザに選択させるようにしたので、ＴＶ視聴機能の起動をかけてから携帯端末装置の表示装置にＴＶ画像が表示されるまでの待ち時間を有効に活用することができ、さらに、通信ネットワークへの接続料金を考慮して接続するか否かを選択することができるという利点が得られる。
【００３３】
また、請求項７記載の発明によれば、前記通信手段によって、前記取得された番組表情報に含まれる、提携企業サーバへのリンク情報に基づいて、提携企業サーバへ接続して各種情報を授受するようにしたので、ＴＶ視聴機能の起動をかけてから携帯端末装置の表示装置にＴＶ画像が表示されるまでの待ち時間を有効に活用することができ、さらに、提携企業のホームページを閲覧した場合に応じて各種サービスを提供することができるという利点が得られる。
【００３４】
また、請求項８記載の発明によれば、前記番組表情報取得手段によって、前記番組表情報をテレビジョン放送局とは異なるローカルインターフェースを介して取得するようにしたので、ＴＶ視聴機能の起動をかけてから携帯端末装置の表示装置にＴＶ画像が表示されるまでの待ち時間を有効に活用することができるという利点が得られる。
【００３５】
また、請求項９記載によれば、前記番組表情報取得手段によって、前記番組表情報をテレビジョン放送局から取得するようにしたので、ＴＶ視聴機能の起動をかけてから携帯端末装置の表示装置にＴＶ画像が表示されるまでの待ち時間を有効に活用することができるという利点が得られる。
【００３６】
また、請求項１０記載の発明によれば、前記番組表情報を記憶手段に一定時間保存するようにしたので、ＴＶ視聴機能の起動をかけてから携帯端末装置の表示装置にＴＶ画像が表示されるまでの待ち時間を有効に活用することができるという利点が得られる。
【００３７】
また、請求項１１記載の発明によれば、前記放送受信手段を初期化する初期化処理中に、通信ネットワーク上の所定のサーバからテレビジョン放送の番組表情報を取得し、取得した番組表情報を前記表示手段に表示するようにしたので、ユーザがＴＶ放送を視聴するためにＴＶ視聴機能の起動をかけてから携帯端末装置の表示装置にＴＶ画像が表示されるまでの待ち時間を利用して現在放送されている番組を知ることができるため、ＴＶチューナの初期化終了後、直ちに視聴希望ｃｈの番組コンテンツを閲覧することができるという利点が得られる。
【００３８】
また、請求項１２記載の発明によれば、前記通信ネットワークへの接続可否をユーザに選択させるようにしたので、ＴＶ視聴機能の起動をかけてから携帯端末装置の表示装置にＴＶ画像が表示されるまでの待ち時間を有効に活用することができ、さらに、通信ネットワークへの接続料金を考慮して接続するか否かを選択することができるという利点が得られる。
【００３９】
また、請求項１３記載の発明によれば、は、取得された番組表情報に含まれる、前記リンク情報に基づいて、提携企業サーバへ接続して各種情報を授受するようにしたので、ＴＶ視聴機能の起動をかけてから携帯端末装置の表示装置にＴＶ画像が表示されるまでの待ち時間を有効に活用することができ、さらに、提携企業のホームページを閲覧した場合に応じて各種サービスを提供することができるという利点が得られる。
【００４０】
また、請求項１４記載の発明によれば、前記放送受信手段によるテレビジョン放送の視聴開始が指示されると、テレビジョン放送の番組表情報を取得し、取得した番組表情報を前記表示手段に表示するようにしたので、ユーザがＴＶ放送を視聴するためにＴＶ視聴機能の起動をかけてから携帯端末装置の表示装置にＴＶ画像が表示されるまでの待ち時間を利用して現在放送されている番組を知ることができるため、ＴＶチューナの初期化終了後、直ちに視聴希望ｃｈの番組コンテンツを閲覧することができるという利点が得られる。
【００４１】
また、請求項１５記載の発明によれば、前記番組表情報をテレビジョン放送局とは異なる通信ネットワークを介して取得するようにしたので、ＴＶ視聴機能の起動をかけてから携帯端末装置の表示装置にＴＶ画像が表示されるまでの待ち時間を有効に活用することができるという利点が得られる。
【００４２】
また、請求項１６記載の発明によれば、前記番組表情報をテレビジョン放送局とは異なるローカルインターフェースを介して取得するようにしたので、ＴＶ視聴機能の起動をかけてから携帯端末装置の表示装置にＴＶ画像が表示されるまでの待ち時間を有効に活用することができるという利点が得られる。
【００４３】
また、請求項１７記載の発明によれば、前記番組表情報をテレビジョン放送局から取得するようにしたので、ＴＶ視聴機能の起動をかけてから携帯端末装置の表示装置にＴＶ画像が表示されるまでの待ち時間を有効に活用することができるという利点が得られる。
【００４４】
また、請求項１８記載の発明によれば、テレビジョン放送を受信するための初期化処理を行うステップと、前記初期化処理中に、通信ネットワーク上の所定のサーバからテレビジョン放送の番組表情報を取得するステップと、取得した番組表情報を表示するステップとをコンピュータに実行させるようにしたので、ユーザがＴＶ放送を視聴するためにＴＶ視聴機能の起動をかけてから携帯端末装置の表示装置にＴＶ画像が表示されるまでの待ち時間を利用して現在放送されている番組を知ることができるため、ＴＶチューナの初期化終了後、直ちに視聴希望ｃｈの番組コンテンツを閲覧することができるという利点が得られる。
【００４５】
また、請求項１９記載の発明によれば、テレビジョン放送の視聴開始を指示するステップと、前記視聴開始が指示されると、テレビジョン放送の番組表情報を取得するステップと、取得した番組表情報を表示するステップとをコンピュータに実行させるようにしたので、ユーザがＴＶ放送を視聴するためにＴＶ視聴機能の起動をかけてから携帯端末装置の表示装置にＴＶ画像が表示されるまでの待ち時間を利用して現在放送されている番組を知ることができるため、ＴＶチューナの初期化終了後、直ちに視聴希望ｃｈの番組コンテンツを閲覧することができるという利点が得られる。
【発明を実施するための最良の形態】
【００４６】
以下、本発明の実施の形態を、図面を参照して説明する。本発明は、携帯端末装置全般、例えば携帯電話、ＰＨＳ、ＰＤＡ、ノート型ＰＣ、携帯型ＴＶ、携帯型映像記録装置・再生装置等に適用可能であるが、ここでは携帯電話を例として説明する。
【００４７】
Ａ．第１実施形態
本発明の第１実施形態について、図面を参照して説明する。
【００４８】
Ａ−１．第１実施形態の構成
図１は、携帯電話の構成を示すブロック図である。同図において、携帯電話１００は、通信アンテナ１、無線回路２、符号復号処理回路３、マイク４、レシーバ５、表示装置６、キー７、ＣＰＵバス８、ベースバンドＣＰＵ９、メモリ１０、ＤＡＣ１１、スピーカ１２、ＴＶアンテナ１３、ＴＶチューナ１４、チューナＩ／Ｆ回路１５、電源回路１６、およびバッテリ１７を備えている。
【００４９】
通信アンテナ１は、空中を伝送されてきた電波を受信し、高周波電気信号に変換し、無線回路２に入力する。また、無線回路２から出力された高周波電気信号を電波に変換して発信する。
【００５０】
無線回路２は、ベースバンドＣＰＵ９の指示に基づき、通信アンテナ１で受信した高周波電気信号を復調し、符号復号処理回路３に入力する。また、符号復号処理回路３の出力信号に変調処理を施し、高周波電気信号に変換して通信アンテナ１に出力する。
【００５１】
符号復号処理回路３は、ベースバンドＣＰＵ９の制御に従って無線回路２の出力信号に復号処理を施し、通話用音声信号をレシーバ５に出力し、文字や画像データをベースバンドＣＰＵ９に出力する。また、マイク４から入力された音声、またはユーザが入力部としてのキー７を操作して編集した文字や画像データに符号化処理を施す。
【００５２】
ベースバンドＣＰＵ９は、携帯電話全般の処理を行う。例えば、ＣＰＵバス８を介してメモリ１０からプログラムを取得し、符号復号処理回路３、無線回路２及び通信アンテナ１を制御して着信待ちを行う。着信があった場合には、ＤＡＣ１１を介してスピーカ１２からアラーム等の着信音またはメロディを発してユーザに着信があったことを通知すると共に、発信元の電話番号または電子メールアドレス等を、ＣＰＵバス８を介して表示装置６に表示する。また、ベースバンドＣＰＵ９は、通信アンテナ１から受信した画像情報、音声情報等に伸張処理を施し、画像情報を表示装置６に出力して表示を行い、音声情報をスピーカ１２で再生する。
【００５３】
さらに、本発明による携帯電話は、ＴＶ視聴機能を備えている。ＴＶアンテナ１３は、受信したＴＶ放送電波を高周波電気信号に変換し、ＴＶチューナ１４に出力する。ＴＶチューナ１４は、入力信号に復調処理を施してＣＭＯＳレベルの信号に変換し、チューナＩ／Ｆ回路１５に出力する。チューナＩ／Ｆ回路１５は、入力信号にインターフェースプロトコル変換を施し、ＣＰＵバス８を介してベースバンドＣＰＵ９に出力する。
【００５４】
ベースバンドＣＰＵ９は、入力された信号に映像と音声の分離処理、及び、それぞれの復号処理を施し、映像を表示装置６に表示し、音声をＤＡＣ１１を経由してスピーカ１２で再生することにより、ＴＶ映像を視聴可能としている。なお、受信するＴＶ放送は、アナログ放送、デジタル放送のいずれでも構わない。
【００５５】
バッテリ１７は、リチウムイオン又はニッケル水素等の充電可能な二次電池で構成され、携帯電話を構成する各部品が動作するための電力を供給する。
【００５６】
電源回路１６は、バッテリ１７から供給された電力を基に各部品が必要とする電圧を生成して供給する。また、バッテリ１７の残量が少なくなった場合には、家庭用コンセント、カーバッテリ等から供給された電力によってバッテリ１７の充電を行う。
【００５７】
本第１実施形態においては、チューナＩ／Ｆ回路１５を、独立した部品として記載しているが、アプリケーションプロッセッサやコプロッセッサ等の画像処理装置を搭載した携帯電話の使用する場合には、そちらに混載またはスタック形式で実装しても良いし、ベースバンドＣＰＵ９に混載またはスタック形式で実装しても良いし、表示装置用のコントローラやドライバＩＣ、ＴＶチューナ１４内部に実装しても良い。
【００５８】
図２は、本第１実施形態による携帯電話１００を使用する環境を示す図である。図において、２００は通信ネットワーク基地局、２０１は通信ネットワーク、２０２はＴＶ番組情報サーバ、３００はＴＶ放送局である。
【００５９】
携帯電話１００は、通信ネットワーク基地局２００を介して通信ネットワーク２０１に接続可能である。該通信ネットワーク２０１には、ＴＶ番組情報サーバ２０２が接続されており、携帯電話１００から通信ネットワーク２０１を介してＴＶ番組情報サーバ２０２にアクセスが可能である。また、本第１実施形態による携帯電話１００は、既に説明したようにＴＶ放送局３００から放送されるＴＶ番組を視聴可能である。
【００６０】
Ａ−２．第１実施形態の動作
次に、本第１実施形態の動作について説明する。ここで、図３は、本第１実施形態による携帯電話１００の動作を説明するためのタイミングチャートである。また、図４は、本第２実施形態による携帯電話１００の表示装置６での表示画面例を示す模式図である。
【００６１】
初期状態（待受け状態）では、図４（ａ）に示す壁紙が表示されている。この状態でキー７を操作する（Ｓａ１）ことにより、図４（ｂ）の機能選択画面を表示装置６に表示する（Ｓａ２）。この画面で、ＴＶ視聴が選択された状態で決定キーを押下することによりベースバンドＣＰＵ９にＴＶチューナ１４の初期化指示が伝えられる（Ｓａ３）。ベースバンドＣＰＵ９は、この指示を受けることによりＴＶチューナ１４の初期化を開始する（Ｓａ４）。
【００６２】
ＴＶチューナ１４は、ベースバンドＣＰＵ９の指示に従って初期化を行う（Ｓａ５）。初期化処理の内容は、パワーセーブ状態からの復帰であったり、電源回路１６を制御してＴＶチューナ１４への電源供給の開始であったりする。また、受信可能な周波数帯をスキャンし、受信可能な周波数（チャンネル）を登録したりする。これら一連の初期化処理は、１０秒程度の時間を要し、ステップＳａ１１のタイミングで終了するものとする。
【００６３】
ステップＳａ４におけるチューナ起動処理開始後、ベースバンドＣＰＵ９は、表示装置６上の図４（ｃ）に示すような接続確認画面を表示させても良い（ステップＳａ６）。ここで「はい」を選択して接続を指示すると（ステップＳａ７）、ベースバンドＣＰＵ９から番組情報サーバ２０２に番組情報取得要求が発行され（ステップＳａ８）、番組情報サーバ２０２から番組表データを取得する（ステップＳａ９）。また、本第１実施形態では、図４（ｃ）のような接続確認画面を表示する場合の例について説明したが、図４（ｃ）の画面は省略しても構わない。この場合、パケット代金が定額制の場合に有効であるが定額制以外の場合に省略しても構わない。
【００６４】
ベースバンドＣＰＵ９は、本データを基に図４（ｄ）のような番組表を表示装置６上に表示する（ステップＳａ１０）。番組表は、一度に全ての情報をダウンロードしても良いが、ダウンロード時間の短縮やパケット使用量の節約の観点から、例えば、現在時刻から２時間以内に制限する等、時間軸方向の制限や、例えば１ｃｈ、と２ｃｈだけといったｃｈ数に制限を設けても良い。また、受信可能なｃｈとそうでないｃｈの文字や背景を変えて表示させても良い。さらに、一旦ダウンロードした番組表をメモリ１０に一定時間（例えば１時間）保存しておき、１時間以内にＴＶチューナ１４の初期化を行う場合にメモリ１０から取得しても良い。
【００６５】
また、ＴＶチューナ１４の初期化とは関係なく、定期的（例えば２時間毎）にＴＶ番組情報サーバ１４からダウンロードしてメモリ１０に保存しても良い。さらに、メモリ１０の番組表は、ＴＶ番組情報サーバ２０２から取得する以外に携帯電話１００外部から通信ケーブルやＩｒＤＡ、ワイヤレスＬＡＮ等の無線通信手段やフラッシュメモリカード、ＵＳＢメモリ等のローカルインターフェースで取得しても良い。
【００６６】
ＴＶ放送を視聴する場合、ステップＳａ１８において、ユーザが表示されている番組表から視聴を希望するチャンネルを、キー７を操作して選択する。ステップＳａ１９において、ベースバンドＣＰＵ９は、ユーザの指示に基づいてＴＶチューナ１４に選局指示を発行する。ＴＶチューナ１４は、指示されたチャンネルの放送を受信し、コンテンツデータ−をベースバンドＣＰＵ９に送信する（ステップＳａ２０）。ここで言うコンテンツデータは、映像、音声、データ放送用のコンテンツを含む。ベースバンドＣＰＵ９は、上記コンテンツに映像と音声の分離処理や、デコード処理を施して映像やデータ放送を表示装置６に表示し、音声をＤＡＣ１１を介してスピーカ１２から再生することにより、図４（ｅ）のような所望のＴＶ放送の視聴を可能とする（ステッＳａ２１）。
【００６７】
また、所望の番組開始まで、３０分〜１時間程度の時間が有る場合には、図４（ｄ）の番組表表示時に所望する番組を選択することで視聴予約を行っても良い。視聴予約を行った場合には、図４（ａ）の壁紙表示状態（待受け）に戻り、ＴＶチューナ１４への電源供給を停止したり、パワーセーブモードに設定して所望の番組以外を視聴することによるバッテリ１７の電力消費を抑える。そして、予約された番組の放送開始時間になると、自動的にＴＶチューナ１４の初期化を行う。このとき、アラームまたは着信音を再生してユーザに予約した番組の放送が始まったことを知らせても良い。
【００６８】
また、ＴＶチューナ１４の初期化時間や、アラームが鳴ってからユーザが携帯電話で視聴を開始するまでの時間を見込んで、予約時間の一定時間前にＴＶチューナ１４の初期化を開始したり、アラームを鳴らしても良い。さらに、アラームを鳴らしてから一定時間異常経過してもユーザがＴＶ視聴のための操作を行わない場合には、アラームを停止してＴＶチューナ１４をパワーセーブ状態または電源供給を停止した状態に設定しても良い。
【００６９】
Ｂ．第２実施形態
次に、本発明の第２実施形態について説明する。本第２実施形態は、上述した第１実施形態に対して、番組情報サーバ２０２からダウンロードした番組表の一部に提携企業サーバ２０３のホームページへのリンク情報が付加されており、該リンクを通じてユーザが提携企業サーバ２０３のホームページを閲覧した際に提携企業からユーザに対してポイントや抽選で粗品を提供する点が異なる。
【００７０】
Ｂ−１．第２実施形態の構成
図５は、本発明の第２実施形態による携帯電話１００を使用する環境を示すブロック図である。尚、上述した第１実施形態に対応する部分には同一符号を付して説明を省略する。図において、２０３は提携企業サーバであり、ＴＶ番組情報サーバ２０２を運営している法人や個人への運営費の補助や報酬を負担している。
【００７１】
Ｂ−２．第２実施形態の動作
次に、本第２実施形態の動作について説明する。ここで、図６は、本第２実施形態の動作を説明するためのタイミングチャートである。図７は、本第２実施形態による携帯電話１００の表示装置６での表示画面例を示す模式図である。
【００７２】
初期状態（待受け状態）では、図７（ａ）に示す壁紙が表示されている。この状態でキー７を操作することにより（ステップＳｂ１）、図７（ｂ）の機能選択画面を表示装置６に表示する（ステップＳｂ２）。この画面で、ＴＶ視聴が選択された状態で決定キーが押下されると、ベースバンドＣＰＵ９にＴＶチューナ１４の初期化指示が伝えられる（ステップＳｂ３）。ベースバンドＣＰＵ９は、この指示を受けることによりＴＶチューナ１４の初期化を開始する（ステップＳｂ４）。
【００７３】
ＴＶチューナ１４は、ベースバンドＣＰＵ９の指示に従って初期化を行う（ステップＳｂ５）。初期化処理の内容は、パワーセーブ状態からの復帰であったり、電源回路１６を制御してＴＶチューナ１４への電源供給の開始であったりする。また、受信可能な周波数帯をスキャンし、受信可能な周波数（チャンネル）を登録したりする。これら一連の初期化処理は、１０秒程度の時間を要し、ステップＳｂ１１のタイミングで終了するものとする。
【００７４】
本発明による携帯電話１００の特徴的な点は、上記ステップＳｂ４において、チューナ初期化処理と並行して通信ネットワーク２０１を介してＴＶ番組情報サーバ２０２から番組情報をダウンロードすることにある。
【００７５】
ステップＳｂ４におけるチューナ起動処理開始後、ベースバンドＣＰＵ９は、表示装置６に、図７（ｃ）に示すような接続確認画面を表示させる（ステップＳｂ６）。ここで「はい」を選択して接続を指示すると（ステップＳｂ７）、ベースバンドＣＰＵ９から番組情報サーバ２０２に番組情報取得要求が発行され（ステップＳｂ８）、番組情報サーバ２０２から番組表データを取得する（ステップＳｂ９）。
【００７６】
ベースバンドＣＰＵ９は、該データを基に図７（ｄ）のような番組表を表示装置６上に表示する（ステップＳｂ１０）。番組表は、一度に全ての情報をダウンロードしても良いが、ダウンロード時間の短縮やパケット使用量の節約の観点から、例えば、現在時刻から２時間以内に制限する等、時間軸方向の制限や、例えば１ｃｈ、と２ｃｈだけといったｃｈ数に制限を設けても良い。
【００７７】
また、図７（ｄ）の番組表の一部に提携企業サーバ２０３のホームページアドレスやリンクを設定したアイコン等を表示させても良い。提携企業サーバ２０３のホームページには、図７（ｅ）に示すような企業情報や広告などが掲載されているものとする。ユーザがこれらアイコンを通じて提携企業サーバ２０３にアクセスしたいときは、ベースバンドＣＰＵ９に提携企業サーバ２０３閲覧開始指示する（ステップＳｂ１２）。これを受けて、ベースバンドＣＰＵ９は、提携企業サーバ２０３にアクセスし、ホームページ閲覧処理を開始する（ステップＳｂ１３）。
【００７８】
また、ベースバンドＣＰＵ９は、提携企業サーバ２０３からホームページを構成するためのデータを取得し（ステップＳｂ１４）、表示装置６に画像または文字として表示する（ステップＳｂ１５）。このようにしてユーザが提携企業のホームページを閲覧した場合にはポイントを加算し、ある程度貯まったら粗品を提携企業からユーザに提供しても良いし、抽選で粗品を提供するようなサービスを施しても良い。
【００７９】
次に、ユーザがＴＶの視聴を開始する場合には、ベースバンドＣＰＵ９に対し、キー７を操作して提携企業サーバ２０２のホームページ閲覧終了を指示し（ステップＳｂ１６）、図７（ｄ）の番組表画面に戻る。ベースバンドＣＰＵ９は、ホームページ閲覧終了処理を実行する（ステップＳｂ１７）。ユーザが番組表を閲覧している最中にステップＳｂ１１のタイミングでＴＶチューナ１４の初期化が完了しているものとする。ステップＳｂ１８において、ユーザが表示されている番組表から視聴を希望するチャンネルを、キー７を操作して選択する。ステップＳｂ１９において、ベースバンドＣＰＵ９は、ユーザの指示に基づいてＴＶチューナ１４に選局指示を発行する。
【００８０】
ＴＶチューナ１４は、指示されたチャンネルの放送を受信し、コンテンツデータをベースバンドＣＰＵ９に送信する（ステップＳｂ２０）。ここで言うコンテンツデータは、映像、音声、データ放送用のコンテンツを含む。ベースバンドＣＰＵ９は、上記コンテンツに映像と音声の分離処理や、デコード処理を施して映像やデータ放送を表示装置６に表示し、音声をＤＡＣ１１を介してスピーカ１２から再生することにより、図７（ｆ）のような所望のＴＶ放送の視聴を可能とする（ステップＳｂ２１）。
【００８１】
また、所望の番組開始まで、３０分〜１時間程度の時間が有る場合には、図７（ｄ）の番組表表示時に所望する番組を選択することで視聴予約を行っても良い。視聴予約を行った場合には、図７（ａ）の壁紙表示状態（待受け）に戻り、ＴＶチューナ１４への電源供給を停止したり、パワーセーブモードに設定して所望の番組以外を視聴することによるバッテリ１７の電力消費を抑えるようにしても良い。そして、予約された番組の放送開始時間になると、自動的にＴＶチューナ１４の初期化を行い、アラームまたは着信音を再生してユーザに予約した番組の放送が始まったことを知らせても良い。
【００８２】
また、ＴＶチューナ１４の初期化時間や、アラームが鳴ってからユーザが携帯電話で視聴を開始するまでの時間を見込んで、予約時間の一定時間前にＴＶチューナ１４の初期化を開始したり、アラームを鳴らしても良い。さらに、アラームを鳴らしてから一定時間異常経過してもユーザがＴＶ視聴のための操作を行わない場合には、アラームを停止してＴＶチューナ１４をパワーセーブ状態または電源供給を停止した状態に設定しても良い。
【図面の簡単な説明】
【００８３】
【図１】本発明の第１実施形態にかかる携帯電話の構成を示すブロック図である。
【図２】本第１実施形態にかかる環境システムの構成を示すブロック図である。
【図３】本第１実施形態にかかるシステムの動作を示すタイミングチャートである。
【図４】本第１実施形態にかかる携帯電話の画面表示例を示す模式図である。
【図５】本発明の第２実施形態にかかる環境システムの構成を示すブロック図である。
【図６】本第２実施形態にかかるシステムの動作を示すタイミングチャートである。
【図７】本第２実施形態にかかる携帯電話の画面表示例を示す模式図である。
【図８】従来技術にかかるシステムの動作を示すタイミングチャートである。
【図９】従来技術にかかる携帯電話の画面表示例を示す模式図である。
【符号の説明】
【００８４】
１  通信アンテナ
２  無線回路（通信手段）
３  符号復号処理回路
４  マイク
５  レシーバ
６  表示装置
７  キー（指示手段）
８  ＣＰＵバス
９  ベースバンドＣＰＵ（初期化手段、番組表情報取得手段、表示制御手段、指示手段）
１０  メモリ（記憶手段）
１１  ＤＡＣ
１２  スピーカ
１３  ＴＶアンテナ
１４  ＴＶチューナ（放送受信手段）
１５  チューナＩ／Ｆ回路
１６  電源回路
１７  バッテリ
１００  携帯電話
２００  通信ネットワーク基地局
２０１  通信ネットワーク
２０２  ＴＶ番組情報サーバ
２０３  提携企業サーバ
３００  ＴＶ放送局
【図１】
2006101078.tif 000003
【図２】
2006101078.tif 000004
【図３】
2006101078.tif 000005
【図４】
2006101078.tif 000006
【図５】
2006101078.tif 000007
【図６】
2006101078.tif 000008
【図７】
2006101078.tif 000009
【図８】
2006101078.tif 000010
【図９】
2006101078.tif 000011